(57)【特許請求の範囲】
【請求項１】
原稿を画像データとして読み取る読取手段と、
前記読取手段により読み取られた画像データを表示する表示手段と、
前記表示手段により表示された画像データに対して、その画像データの所定領域毎に、その領域を印刷するか否かを含む印刷態様の編集を行なうための編集情報の設定を行なう編集情報設定手段と、
予め登録されている情報をワンタッチ操作で呼び出すワンタッチ操作手段と、
前記編集情報設定手段により設定された編集情報を前記ワンタッチ操作手段に対応づけて登録する登録手段と、
前記登録手段により登録された前記ワンタッチ操作手段と前記編集情報との対応を記憶するワンタッチ情報記憶手段と、
を備えることを特徴とする複写機。
【請求項２】
前記表示手段は、前記読取手段により複数枚の前記原稿が読み取られた場合、その読み取られた複数の画像データを表示し、
前記編集情報設定手段は、前記表示手段に表示された複数の画像データの各々に対して編集情報の設定を実行でき、
前記登録手段は、前記編集情報設定手段により設定された複数の画像データの各々に対する編集情報を一つの前記ワンタッチ操作手段に対応させて登録することを特徴とする請求項１に記載の複写機。
【請求項３】
前記登録手段は、前記ワンタッチ操作手段に対応づけて、前記原稿の複写部数を登録することを特徴とする請求項１または２に記載の複写機。
【請求項４】
用紙情報を指定する用紙指定手段と、
前記用紙指定手段により指定された用紙情報に基づいて、白紙画像データの表示を行なう表示手段と、
前記表示手段により表示された白紙画像データに対して、その白紙画像データの所定領域毎に、その領域を印刷するか否かを含む印刷態様の編集を行なうための編集情報の設定を行なう編集情報設定手段と、
予め登録されている情報をワンタッチ操作で呼び出すワンタッチ操作手段と、
前記編集情報設定手段により設定された編集情報を前記ワンタッチ操作手段に対応づけて登録する登録手段と、
前記登録手段により登録された前記ワンタッチ操作手段と前記編集情報との対応を記憶するワンタッチ情報記憶手段と、
を備えることを特徴とする複写機。
【請求項５】
前記編集情報設定手段により前記編集情報が設定された画像データを確認出力する確認出力手段と、
前記確認出力手段により確認出力された画像データに対する当該編集情報の前記ワンタッチ操作手段への登録を指示する登録指示手段とを備え、
前記登録手段は、前記登録指示手段の指示に基づいて当該編集情報を前記ワンタッチ操作手段に対応づけて登録することを特徴とする請求項１ないし４のいずれか１項に記載の複写機。
【請求項６】
前記ワンタッチ操作手段が操作された場合に、当該ワンタッチ操作手段に対応して登録されている編集情報を前記ワンタッチ情報記憶手段から読み出す読出手段と、
前記読取手段により新たに読み取られる画像データに前記読出手段により読み出された編集情報を適用する編集情報適用手段と、
前記編集情報適用手段により編集情報が適用された画像データを出力する出力手段と、
を備えることを特徴とする請求項１ないし３のいずれか１項に記載の複写機。
【請求項７】
原稿を画像データとして読み取る読取手段と、
予め登録されている情報をワンタッチ操作で呼び出すワンタッチ操作手段と、
前記画像データに対して、その画像データの所定領域毎に、その領域を印刷するか否かを含む印刷態様の編集を行なうための編集情報を、前記ワンタッチ操作手段に対応させて記憶するワンタッチ情報記憶手段と、
前記ワンタッチ操作手段が操作された場合に、当該ワンタッチ操作手段に対応して記憶されている編集情報を前記ワンタッチ情報記憶手段から読み出す読出手段と、
前記読取手段により読み取られた画像データに対して、前記読出手段により読み出された編集情報を適用する編集情報適用手段と、
前記編集情報適用手段により編集情報が適用された画像データを出力する出力手段と、
を備えることを特徴とする複写機。
【請求項８】
前記読取手段により複数の画像データが連続して読み取られた場合に、前記編集情報適用手段は、操作された前記ワンタッチ操作手段に登録されている前記編集情報を当該複数の画像データに適用することを特徴とする請求項６または７に記載の複写機。
【請求項９】
前記編集情報は編集の対象となる原稿のサイズ情報を含み、
前記読取手段により読み取られた原稿のサイズを検出する原稿サイズ検出手段と、
前記ワンタッチ操作手段が操作された場合に、そのワンタッチ操作手段に対応付けて登録されている前記編集情報から前記原稿のサイズ情報を抽出し、前記原稿サイズ検出手段により検出された原稿のサイズと比較する比較手段と、
前記比較手段による比較の結果、両者のサイズが異なると判断された場合に、その編集情報を前記読取手段により読み取られた原稿のサイズに応じて加工する加工手段と、
を備え、
前記編集情報適用手段は、前記加工手段により加工された編集情報を適用することを特徴とする請求項６ないし８のいずれか１項に記載の複写機。
【請求項１０】
前記ワンタッチ操作手段が操作された際に、その操作された前記ワンタッチ操作手段に対応付けて登録されている前記編集情報を適用する原稿のページ数を指定するためのページ数指定手段を備え、
前記編集情報適用手段は、前記読取手段により連続して読み取られる複数の原稿の画像データのページをカウントするとともに、前記ページ数指定手段により指定されたページに対して前記編集情報を適用することを特徴とする請求項６ないし９のいずれか１項に記載の複写機。
【請求項１１】
前記ワンタッチ操作手段に登録されている前記編集情報の内容を確認するワンタッチ内容確認手段を備えることを特徴とする請求項１ないし１０のいずれか１項に記載の複写機。
【請求項１２】
複写機と、その複写機にネットワーク接続された端末装置とを含む複写機システムであって、
前記端末装置は、
画像データを取得する画像データ取得手段と、
前記画像データ取得手段により取得された画像データを表示する表示手段と、
前記表示手段により表示された画像データに対して、その画像データの所定領域毎に、その領域を印刷するか否かを含む印刷態様の編集を行なうための編集情報の設定を行なう編集情報設定手段と、
前記編集情報設定手段により設定された編集情報を複写機へ送出する送出手段と、
を備え、
前記複写機は、
予め登録されている情報をワンタッチ操作で呼び出すワンタッチ操作手段と、
前記端末装置から前記編集情報を取得する取得手段と、
前記取得手段により取得された編集情報を前記ワンタッチ操作手段に対応させて登録する登録手段と、
前記登録手段により登録された前記ワンタッチ操作手段と前記編集情報との対応を記憶するワンタッチ情報記憶手段と、
を備えることを特徴とする複写機システム。
【請求項１３】
複写機と、その複写機にネットワーク接続された端末装置とを含む複写機システムであって、
前記端末装置は、
用紙情報を指定する用紙指定手段と、
前記用紙指定手段により指定された用紙情報に基づいて、白紙画像データの表示を行なう表示手段と、
前記表示手段により表示された白紙画像データに対して、その白紙画像データの所定領域毎に、その領域を印刷するか否かを含む印刷態様の編集を行なうための編集情報の設定を行なう編集情報設定手段と、
前記編集情報設定手段により設定された編集情報を複写機へ送出する送出手段と、
を備え、
前記複写機は、
予め登録されている情報をワンタッチ操作で呼び出すワンタッチ操作手段と、
前記端末装置から前記編集情報を取得する取得手段と、
前記取得手段により取得された編集情報を前記ワンタッチ操作手段に対応させて登録する登録手段と、
前記登録手段により登録された前記ワンタッチ操作手段と前記編集情報との対応を記憶するワンタッチ情報記憶手段と、
を備えることを特徴とする複写機システム。
【請求項１４】
前記複写機は、
前記ワンタッチ操作手段が操作された場合に、当該ワンタッチ操作手段に対応して記憶されている編集情報を前記ワンタッチ情報記憶手段から読み出す読出手段と、
原稿を画像データとして読み取る読取手段により読み取られた画像データに対して、前記読出手段により読み出された編集情報を適用する編集情報適用手段と、
前記編集情報適用手段により編集情報が適用された画像データを出力する出力手段と、
を備えることを特徴とする請求項１２または１３に記載の複写機システム。
【請求項１５】
原稿の画像データを取得する取得ステップと、
前記取得ステップにより取得された画像データを表示させる表示ステップと、
前記表示ステップにより表示された画像データに対して、その画像データの所定領域毎に、その領域を印刷するか否かを含む印刷態様の編集を行なうための編集情報の設定を行なう編集情報設定ステップと、
前記編集情報設定ステップにより設定された編集情報を予め登録されている情報をワンタッチで呼び出すワンタッチ操作手段に対応させて登録する登録ステップと、
をコンピュータで実行させる、記録媒体に格納されたまたは利用可能な状態におかれたコンピュータ読み取り可能なコンピュータプログラム。
【請求項１６】
用紙情報を取得する用紙情報取得ステップと、
前記用紙情報取得ステップにより取得された用紙情報に基づいて、白紙画像データを表示させる表示ステップと、
前記表示ステップにより表示された白紙画像データに対して、その白紙画像データの所定領域毎に、その領域を印刷するか否かを含む印刷態様の編集を行なうための編集情報の設定を行なう編集情報設定ステップと、
前記編集情報設定ステップにより設定された編集情報を予め登録されている情報をワンタッチで呼び出すワンタッチ操作手段に対応させて登録する登録ステップと、
をコンピュータで実行させる、記録媒体に格納されたまたは利用可能な状態におかれたコンピュータ読み取り可能なコンピュータプログラム。
【請求項１７】
原稿の画像データを取得する取得ステップと、
予め登録されている情報をワンタッチ操作で呼び出すワンタッチ操作手段が操作された場合に、前記画像データに対して、その画像データの所定領域毎に、その領域を印刷するか否かを含む印刷態様の編集を行なうための編集情報を、前記ワンタッチ操作手段に対応させて記憶するワンタッチ情報記憶手段から、その操作された前記ワンタッチ操作手段に対応する編集情報を読み出す読出ステップと、
前記取得ステップにより取得された画像データに対して、前記読出ステップにより読み出された編集情報を適用する編集情報適用ステップと、
前記編集情報適用ステップにより前記編集情報が適用された画像データを出力する出力ステップと、
をコンピュータで実行させる、記録媒体に格納されたまたは利用可能な状態におかれたコンピュータ読み取り可能なコンピュータプログラム。
【発明の詳細な説明】
【技術分野】
【０００１】
本発明は、複写機，複写機システム，およびコンピュータプログラムに関するものである。
【背景技術】
【０００２】
複写機として、例えば、原稿画像上の任意の領域を指定し、該領域に対し所望とする色変換や塗りつぶし等の画像処理を実行できるようにしたものがある。
【０００３】
例えば、色変換や指定領域の塗りつぶしや色変換等の編集処理や、読み取った画像に対して領域を指定し、その指定領域内外の画像データを加工するといった、いわゆる、カラー画像処理をモニタ表示を見ながら行ない、その結果を確認することのできるデジタルカラー複写機が考案されている（特許文献１参照）。
【０００４】
【特許文献１】特開平０８−３１７２３７号公報
【発明の開示】
【発明が解決しようとする課題】
【０００５】
特許文献１の例では、一枚の原稿に対して領域指定や色指定等の編集情報の設定（以下、複雑コピーの設定と称する）を行ない、その設定内容で記録出力を行なうことしか記載されていないため、一度設定した内容を保存しておき、同じ設定内容を別の原稿にも適用させることについては言及されていない。そのため、複数枚の原稿に同じ内容の複雑コピーの設定を行なう場合であっても、複雑コピーの設定を個別の原稿に対してそれぞれ行なわなければならず、効率が悪いという問題点がある。
【０００６】
また、特許文献１の例では、必ず原稿をスキャナで読み取ってから、その原稿の画像データに対して複雑コピーの設定を行なうものであり、どのような簡単な編集情報の設定であっても原稿を読み取らなければならず、効率が悪いという問題点がある。
【０００７】
上記問題を背景として、本発明は、一度設定した編集情報の設定内容を再度利用することができ、また、効率よく編集情報を設定することが可能な複写機，複写機システム，およびコンピュータプログラムを提供することを目的とするものである。
【課題を解決するための手段および発明の効果】
【０００８】
本発明は、上記目的を達成するための複写機を提供するものである。即ち、請求項１によれば、原稿を画像データとして読み取る読取手段と、読取手段により読み取られた画像データを表示する表示手段と、表示手段により表示された画像データに対して編集を行なうための編集情報の設定を行なう編集情報設定手段と、予め登録されている情報をワンタッチ操作で呼び出すワンタッチ操作手段と、編集情報設定手段により設定された編集情報をワンタッチ操作手段に対応づけて登録する登録手段と、登録手段により登録されたワンタッチ操作手段と編集情報との対応を記憶するワンタッチ情報記憶手段と、を備えることを特徴とする複写機として構成される。
【０００９】
上記構成によって、一度複雑コピーの設定を行なった内容（編集情報）を今後も使用する可能性が高い場合には、編集情報をワンタッチ操作手段に対応づけて登録することで、その編集情報を保存しておくことができる。
【００１０】
請求項２によれば、本発明の複写機における表示手段は、読取手段により複数枚の原稿が読み取られた場合、その読み取られた複数の画像データを表示し、編集情報設定手段は、表示手段に表示された複数の画像データの各々に対して編集情報の設定を実行でき、登録手段は、編集情報設定手段により設定された複数の画像データの各々に対する編集情報を一つのワンタッチ操作手段に対応させて登録することを特徴とする構成をとることができる。
【００１１】
上記構成によって、複数ページが一まとまりで扱われる原稿に対して、それぞれの原稿に異なる複雑コピーを指定したい場合には、その複数ページ単位で１つのワンタッチ操作手段への登録が可能となり、限られたワンタッチ操作手段を有効に使用できるとともに、一度のワンタッチ操作手段の操作で複数ページに対して複雑コピーを指定することができるので操作性が向上する。
【００１２】
請求項３によれば、本発明の複写機における編集情報は複写部数を含み、登録手段は、ワンタッチ操作手段に複写部数を含む編集情報を登録することを特徴とする構成をとることができる。
【００１３】
上記構成によって、ワンタッチ操作手段の操作で複写部数を指定することが可能となり、複雑コピーを行なうたびにコピー部数を設定する手間を省くことができる。
【００１４】
請求項４によれば、上記課題を解決するための複写機は、用紙情報を指定する用紙指定手段と、用紙指定手段により指定された用紙情報に基づいて、白紙画像データの表示を行なう表示手段と、表示手段により表示された白紙画像データに対して編集を行なうための編集情報の設定を行なう編集情報設定手段と、予め登録されている情報をワンタッチ操作で呼び出すワンタッチ操作手段と、編集情報設定手段により設定された編集情報をワンタッチ操作手段に対応づけて登録する登録手段と、登録手段により登録されたワンタッチ操作手段と編集情報との対応を記憶するワンタッチ情報記憶手段と、を備えることを特徴とする複写機として構成される。
【００１５】
上記構成によって、予め使用することが予測される複雑コピーのパターンを、原稿をわざわざ読み取らせることなく、ワンタッチ操作手段に登録することができる。
【００１６】
また、本発明の複写機は、ワンタッチ操作手段が操作された場合に、当該ワンタッチ操作手段に対応して登録されている編集情報をワンタッチ情報記憶手段から読み出す読出手段と、読取手段により新たに読み取られる画像データに読出手段により読み出された編集情報を適用する編集情報適用手段と、編集情報適用手段により編集情報が適用された画像データを出力する出力手段と、を備えることを特徴とする構成をとることができる。
【００１７】
上記構成によって、一度複雑コピーの設定を行なった内容（編集情報）を今後も使用する可能性が高い場合には、編集情報をワンタッチ操作手段に対応づけて登録しておくことで、後でそのワンタッチ操作手段を操作することで容易に同じ設定内容を呼び出して、他の原稿に対して同じ複雑コピーを実行することができる。
【００１８】
また、上記課題を解決するための複写機は、原稿を画像データとして読み取る読取手段と、予め登録されている情報をワンタッチ操作で呼び出すワンタッチ操作手段と、画像データに対して編集を行なうための編集情報をワンタッチ操作手段に対応させて記憶するワンタッチ情報記憶手段と、ワンタッチ操作手段が操作された場合に、当該ワンタッチ操作手段に対応して記憶されている編集情報をワンタッチ情報記憶手段から読み出す読出手段と、読取手段により読み取られた画像データに対して、読出手段により読み出された編集情報を適用する編集情報適用手段と、編集情報適用手段により編集情報が適用された画像データを出力する出力手段と、を備えることを特徴とする複写機として構成される。
【００１９】
上記構成によって、編集情報が登録されたワンタッチ操作手段を操作することで、所望の複雑コピーの設定を原稿に対して行なうことができ、原稿を読み取らせて最初から複雑コピーの設定を行なう手間を省くことができる。
【００２０】
また、本発明の複写機は、編集情報設定手段により編集情報が設定された画像データを確認出力する確認出力手段と、確認出力手段により確認出力された画像データに対する当該編集情報のワンタッチ操作手段への登録を指示する登録指示手段とを備え、登録手段は、登録指示手段の指示に基づいて当該編集情報をワンタッチ操作手段に対応づけて登録することを特徴とする構成をとることができる。
【００２１】
上記構成によって、指定した複雑コピーの内容が適切か否かを確認してから、ワンタッチ操作手段へ登録するため、間違った複雑コピーの内容が設定されることを防ぐことができる。
【００２２】
請求項８によれば、本発明の複写機は、読取手段により複数の画像データが連続して読み取られた場合に、編集情報適用手段は、操作されたワンタッチ操作手段に登録されている編集情報を当該複数の画像データに適用することを特徴とする構成をとることができる。
【００２３】
上記構成によって、一度ワンタッチ操作手段を操作して複雑コピーの指定を行なえば、複数枚の原稿に対しても同様の複雑コピーが適用されることから、個別に複雑コピーの指定を行なう必要がなく、複数の同様の原稿に対して同じ複雑コピーを行ないたい場合の作業効率が向上する。
【００２４】
請求項９によれば、本発明の複写機における編集情報は編集の対象となる原稿のサイズ情報を含み、読取手段により読み取られた原稿のサイズを検出する原稿サイズ検出手段と、ワンタッチ操作手段が操作された場合に、そのワンタッチ操作手段に対応付けて登録されている編集情報から原稿のサイズ情報を抽出し、原稿サイズ検出手段により検出された原稿のサイズと比較する比較手段と、比較手段による比較の結果、両者のサイズが異なると判断された場合に、その編集情報を読取手段により読み取られた原稿のサイズに応じて加工する加工手段と、を備え、編集情報適用手段は、加工手段により加工された編集情報を適用することを特徴とする構成をとることができる。
【００２５】
上記構成によって、ワンタッチ操作手段に登録されている編集情報が示す原稿サイズとはサイズの異なる原稿に対しても、柔軟に対応でき、わざわざ原稿サイズに応じて複雑コピーの指定を行なう手間を省くことができる。
【００２６】
請求項１０によれば、本発明の複写機は、ワンタッチ操作手段が操作された際に、その操作されたワンタッチ操作手段に対応付けて登録されている編集情報を適用する原稿のページ数を指定するためのページ数指定手段を備え、編集情報適用手段は、読取手段により連続して読み取られる複数の原稿の画像データのページをカウントするとともに、ページ数指定手段により指定されたページに対して編集情報を適用することを特徴とする構成をとることができる。
【００２７】
上記構成によって、原稿が複数枚まとめてセットされ、その複数枚に対して、ページ毎に異なるワンタッチ操作手段に登録された複雑コピーを実行したい場合に、ワンタッチ操作手段の操作と関連付けてそのワンタッチ操作手段の登録内容を適用するページ数を指示しておけば、一度の原稿読み取り操作の過程で、ページ毎で異なる複雑コピーの実行が可能となる。そのため、複雑コピーの内容が異なるページで予め原稿を分けておき、別々に原稿をセットして複雑コピーの指示を行なうといった必要がなく、原稿の取り扱いが簡単となる。
【００２８】
請求項１１によれば、本発明の複写機は、ワンタッチ操作手段に登録されている編集情報の内容を確認するワンタッチ内容確認手段を備えることを特徴とする構成をとることができる。
【００２９】
上記構成によって、ワンタッチ操作手段に登録した内容を確認できることから、登録内容を忘れてしまった場合も、登録内容を確認してから複雑コピーを実行できるため、紙の無駄遣いを減らすことができる。
【００３０】
請求項１２によれば、上記課題を解決するための複写機システムは、複写機と、その複写機にネットワーク接続された端末装置とを含む複写機システムであって、端末装置は、画像データを取得する画像データ取得手段と、画像データ取得手段により取得された画像データを表示する表示手段と、表示手段により表示された画像データに対して編集を行なうための編集情報の設定を行なう編集情報設定手段と、編集情報設定手段により設定された編集情報を複写機へ送出する送出手段と、を備え、複写機は、予め登録されている情報をワンタッチ操作で呼び出すワンタッチ操作手段と、端末装置から編集情報を取得する取得手段と、取得手段により取得された編集情報をワンタッチ操作手段に対応させて登録する登録手段と、登録手段により登録されたワンタッチ操作手段と編集情報との対応を記憶するワンタッチ情報記憶手段と、を備えることを特徴とする複写機システムとして構成される。
【００３１】
上記構成によって、一度複雑コピーの設定を行なった内容（編集情報）を今後も使用する可能性が高い場合には、編集情報をワンタッチ操作手段に対応づけて登録することで、その編集情報を保存しておくことができる。また、複写機以外の端末装置で複雑コピーの設定を行なうことができるので、複写機に複雑コピーの設定を行なうための表示画面や設定キー等を設ける必要がなくなる。さらに、端末装置が備えるある程度大きなサイズの画面を用いて、読み取った原稿の画像データを表示させることで、細かい編集情報の設定についても精度よく行なうことができる。また、端末装置に対して複写機が複数接続されている場合にも、端末装置で一括して複雑コピーの設定を行ない、その設定内容を複数の複写機のワンタッチ操作手段に対して登録することができ、ワンタッチ操作手段に対する編集情報の登録を効率よく行なうことができる。
【００３２】
請求項１３によれば、上記課題を解決するための複写機システムは、複写機と、その複写機にネットワーク接続された端末装置とを含む複写機システムであって、端末装置は、用紙情報を指定する用紙指定手段と、用紙指定手段により指定された用紙情報に基づいて、白紙画像データの表示を行なう表示手段と、表示手段により表示された白紙画像データに対して編集を行なうための編集情報の設定を行なう編集情報設定手段と、編集情報設定手段により設定された編集情報を複写機へ送出する送出手段と、を備え、複写機は、予め登録されている情報をワンタッチ操作で呼び出すワンタッチ操作手段と、端末装置から編集情報を取得する取得手段と、取得手段により取得された編集情報をワンタッチ操作手段に対応させて登録する登録手段と、登録手段により登録されたワンタッチ操作手段と編集情報との対応を記憶するワンタッチ情報記憶手段と、を備えることを特徴とする複写機システムとして構成される。
【００３３】
上記構成によって、予め使用することが予測される複雑コピーのパターンを、原稿をわざわざ読み取らせることなく、ワンタッチ操作手段に登録することができる。また、端末装置に対して複写機が複数接続されている場合にも、端末装置で一括して複雑コピーの設定を行ない、その設定内容を複数の複写機のワンタッチ操作手段に対して登録することができ、ワンタッチ操作手段に対する編集情報の登録を効率よく行なうことができる。
【００３４】
請求項１４によれば、上記課題を解決するための複写機システムは、前記複写機は、前記ワンタッチ操作手段が操作された場合に、当該ワンタッチ操作手段に対応して記憶されている編集情報を前記ワンタッチ情報記憶手段から読み出す読出手段と、前記読取手段により読み取られた画像データに対して、前記読出手段により読み出された編集情報を適用する編集情報適用手段と、前記編集情報適用手段により編集情報が適用された画像データを出力する出力手段と、を備える複写機システムとして構成される。
【００３５】
上記構成によって、一度複雑コピーの設定を行なった内容（編集情報）を今後も使用する可能性が高い場合には、編集情報をワンタッチ操作手段に対応づけて登録しておくことで、後でそのワンタッチ操作手段を操作することで容易に同じ指定内容を呼び出して、他の原稿に対して同じ複雑コピーを実行することができる。
【００３６】
請求項１５によれば、上記課題を解決するためのコンピュータプログラムは、原稿の画像データを取得する取得ステップと、取得ステップにより取得された画像データを表示させる表示ステップと、表示ステップにより表示された画像データに対して編集を行なうための編集情報の設定を行なう編集情報設定ステップと、編集情報設定ステップにより設定された編集情報を予め登録されている情報をワンタッチで呼び出すワンタッチ操作手段に対応させて登録する登録ステップと、をコンピュータで実行させる、記録媒体に格納されたまたは利用可能な状態におかれたコンピュータ読み取り可能なコンピュータプログラムとして構成される。
【００３７】
上記プログラムをコンピュータに読み取らせ動作させることで、請求項１と同様の作用・効果を得ることができる。
【００３８】
請求項１６によれば、上記課題を解決するためのコンピュータプログラムは、用紙情報を取得する用紙情報取得ステップと、用紙情報取得ステップにより取得された用紙情報に基づいて、白紙画像データを表示させる表示ステップと、表示ステップにより表示された白紙画像データに対して編集を行なうための編集情報の設定を行なう編集情報設定ステップと、編集情報設定ステップにより設定された編集情報を予め登録されている情報をワンタッチで呼び出すワンタッチ操作手段に対応させて登録する登録ステップと、をコンピュータで実行させる、記録媒体に格納されたまたは利用可能な状態におかれたコンピュータ読み取り可能なコンピュータプログラムとして構成される。
【００３９】
上記プログラムをコンピュータに読み取らせ動作させることで、請求項４と同様の作用・効果を得ることができる。
【００４０】
請求項１７によれば、上記課題を解決するためのコンピュータプログラムは、原稿の画像データを取得する取得ステップと、予め登録されている情報をワンタッチ操作で呼び出すワンタッチ操作手段が操作された場合に、画像データに対して編集を行なうための編集情報をワンタッチ操作手段に対応させて記憶するワンタッチ情報記憶手段から、その操作されたワンタッチ操作手段に対応する編集情報を読み出す読出ステップと、取得ステップにより取得された画像データに対して、読出ステップにより読み出された編集情報を適用する編集情報適用ステップと、編集情報適用ステップにより編集情報が適用された画像データを出力する出力ステップと、をコンピュータで実行させる、記録媒体に格納されたまたは利用可能な状態におかれたコンピュータ読み取り可能なコンピュータプログラムとして構成される。
【００４１】
上記プログラムをコンピュータに読み取らせ動作させることで、請求項６と同様の作用・効果を得ることができる。
【発明を実施するための最良の形態】
【００４２】
同じ内容の編集情報の設定を複数枚の原稿に行なうことが可能な複写機，複写機システム，およびコンピュータプログラムを提供するという目的を、一度指定した内容を今後も使用する可能性が高い場合には、編集情報をワンタッチ操作手段に対応づけて登録しておく構成により実現した。
【実施例】
【００４３】
以下、本発明の複写機，複写機システム，およびコンピュータプログラムの実施の形態を、複写機システムを例に挙げて図面を用いて説明する。図１に本実施形態の複写機システム，複写機の全体構成のブロック図を示す。複写機１０は、ＣＰＵ１１、ワークメモリ１２ａを備えるＲＡＭ１２、各種プログラムを記憶するＲＯＭ１３、バスライン１４、入出力部１５（図１ではＩ／Ｏと表記）、メモリ１６、通信インターフェース１８（図１では通信Ｉ／Ｆと表記）、および印刷制御データ等の受信したデータを一時格納する受信バッファ１７を備えて構成される。
【００４４】
ＲＯＭ１３には、印刷制御プログラム１３ａ、スキャナ制御プログラム１３ｂ、通信プログラム１３ｃ，コピー制御プログラム１３ｄが格納されている。
【００４５】
入出力部１５には、操作パネル２０（図２参照、詳細は後述）、周知のインクジェット印字機構、レーザー印字機構、熱転写印字機構、あるいはドットインパクト式印字機構などからなる本発明の出力手段である印刷部２３，イメージセンサ等を含む原稿の読み取りを行なう本発明の読取手段であるスキャナ部２４等が制御対象として接続されている。これら印刷部２３、スキャナ部２４の動作は周知のものであり、ＲＯＭ１３に格納された対応する印刷制御プログラム１３ａ、スキャナ制御プログラム１３ｂを、ＣＰＵ１１がＲＡＭ１２のワークメモリ１２ａを用いて実行することで動作制御される。
【００４６】
また、本発明の取得手段である通信インターフェース１８はＬＡＮ（Local  Area  Network）等の通信ネットワーク５０を介して端末装置３０（図３参照）とデータ等を送受信するための通信インターフェース回路を含んで構成される。通信ネットワーク５０に接続された外部通信網を経由した各種データの送受信は、ＣＰＵ１１が通信プログラム１３ｃを実行することで行なわれる。
【００４７】
メモリ１６は、例えばＥＥＰＲＯＭ（Electrically  Erasable  ＆  Programmable  Read  Only  Memory：電気的消去・プログラム可能・読出し専用メモリ）等の不揮発性メモリで構成され、本発明のワンタッチ情報記憶手段である複雑コピー設定記憶領域を備える他、複写機１０の動作に必要なデータが記憶されている。
【００４８】
図２に、複写機１０の操作パネル２０の例を示す。操作パネル２０は、操作部２１と、表示部２２と、スピーカ２０ａとを含んで構成される。操作部２１はメカニカルなスイッチ等が用いられ、複写機１０の電源の入／切を行なう電源ボタン２１ａ、カーソルボタン２１ｂ、コピーボタン２１ｃ１，スキャナボタン２１ｃ２やその他の機能ボタン２１ｃ３を含んで構成される機能選択ボタン２１ｃ、テンキー２１ｄ、本発明のワンタッチ操作手段であるワンタッチボタン２１ｅ，各種動作の開始を行なうスタートボタン２１ｆ、および各種動作を中断あるいは停止させるストップボタン２１ｇが含まれる。
【００４９】
表示部２２は周知のドット・マトリックス方式のカラー液晶表示器および液晶表示制御を行なうための図示しないドライバ回路を含んで構成されている。ドライバ回路は、例えば、画素毎にトランジスタを付けて目的の画素を確実に点灯させたり消したりすることができるアクティブマトリックス駆動方式が用いられ、入出力部１５を介してＣＰＵ１１から送られる表示指令および表示画面データに基づいて表示を行なう。また、表示部２２として有機ＥＬ（ElectroLuminescence：電界発光）表示器，プラズマ表示器を用いてもよい。
【００５０】
また、操作部２１として、表示部２２と一体になったタッチパネルを用いてもよい。タッチパネルは、表示部２２の画面上にガラス基盤と透明なフィルムにスペーサと呼ばれる隙間を介してＸ軸方向、Ｙ軸方向に電気回路が配線され、フィルム上をユーザがタッチすると、押された部分の配線がショートして電圧値が変わるため、これを２次元座標値（Ｘ，Ｙ）として検出する、いわゆる抵抗膜方式が広く用いられる。その他に、いわゆる静電容量方式を用いてもよい。
【００５１】
図３に端末装置３０の電気的構成を示すブロック図を示す。ＣＰＵ３１、ワークメモリ３２ａを備えるＲＡＭ３２、各種プログラムを記憶するＲＯＭ３３、記憶装置であるハードディスクドライブ（ＨＤＤ）３４、バスライン３５、入出力部（図中では「Ｉ／Ｏ」と表示）３６、ＣＤ−ＲＯＭドライブ３９、および通信ネットワーク５０に接続するための本発明の送出手段，画像データ取得手段である通信インターフェース（図中では「通信Ｉ／Ｆ」と表示）４０等を備えたパーソナルコンピュータ（あるいはワークステーション）として構成される。
【００５２】
ＨＤＤ３４やＣＤ−ＲＯＭドライブ３９は、インターフェース（Ｉ／Ｆ）４４、４９を介してバスライン３５に接続されている。ＨＤＤ３４は、端末装置３０の基本ソフトウェアとなるＯＳ３４ａ、複雑コピーの設定を行なう設定プログラム３４ｂ、通信ネットワーク５０上の機器（複写機１０等）との通信を行なうための通信プログラム３４ｃ、各種データを格納するデータベース３４ｄ等が記憶されている。入出力部３６には、キーボードあるいはマウス等からなる本発明の編集情報設定手段，用紙指定手段，確認指示手段，登録指示手段である入力部３７、ＬＣＤあるいはＣＲＴからなる本発明の表示手段，確認出力手段である表示部３８が接続されている。
【００５３】
（複雑コピーのダウンロード処理１）
図４から６を用いて、読み取った原稿に種々の編集加工を行ない、印刷出力するための複雑コピーの設定を端末装置３０で行ない、その設定内容を端末装置３０に接続された複写機１０に対してダウンロードする処理について説明する。なお、本処理は端末装置３０の設定プログラム３４ｂに含まれる、複写機１０に対して各種設定を行なうためのアプリケーションプログラムを起動し、図示しないメニュー画面の中から複雑コピーを設定するためのメニューを選択することにより開始される。
【００５４】
複雑コピーメニューが選択されると（Ｓ１：Ｙｅｓ）、表示部３８に図５のような画面が表示される（Ｓ２）。この画面には、スキャナ部２４で読み取られた原稿の画像データを表示するプレビュー画面２２ａ、入力部３７ｂにより操作されるカーソルポインタ２２ｂ、複雑コピーの設定内容を複写機１０へダウンロードするためのダウンロードボタン２２ｃ、入力あるいは設定を有効とするＯＫボタン２２ｄ、入力あるいは設定を無効とするキャンセルボタ２２ｅ、プレビュー画面２２ａで表示される画像データを編集するための編集メニュー選択画面２２ｆ、編集メニュー選択画面２２ｆに対応するパラメータ設定画面２２ｇ、設定内容を確認するための確認ボタン２２ｈ、設定された複雑コピーの内容（本発明の編集情報）を複写機１０のどのワンタッチボタン２１ｅに関連付けて記憶するかを指定するためのボタン表示画面２２ｓが表示される。
【００５５】
図５のボタン選択画面の例では、複写機１０のワンタッチボタン２１ｅに含まれる起動ボタンＡ（図２参照）が選択されていて、設定された複雑コピーの内容は起動ボタンＡに対応付けられてデータベース３４ｄの複雑コピー設定記憶領域に記憶され、ダウンロードの指示があれば複写機１０の起動ボタンＡに対して登録される（詳細は後述）。また、別のボタン（図２のＢ，Ｃ等）に対応付けたい場合は、例えばボタン表示画面２２ｓ上でマウスの右ボタンをクリックしてボタンの一覧リストを表示させ、そのリストから所望のボタンを選択する。
【００５６】
複雑コピーの設定を行ないたい原稿を複写機１０のスキャナ部２４にセットして、入力部３７に含まれるマウス（図示せず）でカーソルポインタ２２ｂを編集メニュー画面２２ｆの選択項目から「プレビュー」上に移動してクリック（表示部２２がタッチパネルを含む場合はタッチパネル上のプレビューボタンの押下、操作部２１のワンタッチボタン２１ｅがプレビューボタンを備える場合はそのボタンを用いてもよい、以下同じ）すると（Ｓ３：Ｙｅｓ）、スキャン指令が複写機１０に送られ、複写機１０ではスキャナ部２４で原稿が読み取られ、読み取られた原稿の画像データが端末装置３０に送られ表示部３８のプレビュー画面２２ａに表示される（Ｓ４）。
【００５７】
なお、「プレビュー」により原稿を読み取らせる方法としては、予め複雑コピーの設定を行ないたい原稿のみを原稿台にセットしておき、それを読み取らせる方法や、同じ複雑コピーを行ないたい原稿が複数枚ある場合は、複数枚の原稿をまとめてセットしておき、先頭の一枚だけを読み取らせる方法等が考えられる。また、プレビューで原稿を読み取る場合は、スキャナ部２４が備える読み取りの解像度レベルのうちの低解像度で読み取りを行ない、短時間で読み取りを完了し、画像データをプレビュー画面２２ａに表示する。これは、原稿の大体の内容が確認できれば、複雑コピーの設定は可能であることから、低解像度で読み取ることでプレビューに要する全体の時間を短縮するためである。
【００５８】
また、例えば履歴書等のように文書の書式が一般的に決まっている定型文書に対して複雑コピーの設定を行なう場合（Ｓ３：Ｎｏ）には、原稿を読み取ってプレビュー表示を行なう必要はなく、編集メニュー画面２２ｆの選択項目「定型」をクリックして（Ｓ５：Ｙｅｓ）、定型文書の雛型を用いて雛型編集処理（Ｓ６：詳細は後述）を行なう。
【００５９】
また、データベース３４ｄの複雑コピー設定記憶領域に記憶されている、過去に設定して保存した複雑コピーの設定内容を基に新たな複雑コピーの設定を行なうこともできる。編集メニュー画面２２ｆの選択項目「設定読込」をクリックすると（Ｓ１６：Ｙｅｓ）、記憶されている複雑コピーの設定内容の読込処理（Ｓ１７：詳細は後述）が行なわれる。
【００６０】
複雑コピーの設定を行なう前に複雑コピーモードを終了したい場合には、キャンセルボタン２２ｅをクリックすると（Ｓ１８：Ｙｅｓ）、キャンセル処理（後述）が行なわれ、複雑コピーモードを終了する。（Ｓ１５）。
【００６１】
そして、プレビュー画面２２ａに表示されている画像データに対して複雑コピー設定処理（Ｓ７：詳細は後述）を実行する。この複雑コピー設定処理は、プレビュー指示により原稿が読み取られた状態でプレビュー画面２２ａに表示されている画像データ，雛型編集処理を行なった後にプレビュー画面２２ａに表示されている画像データ，複雑コピーの設定内容の読込処理を行なった後にプレビュー画面２２ａに表示されている画像データのいずれにも実行可能である。設定が完了して確認ボタン２２ｈをクリックすると（Ｓ８：Ｙｅｓ）、それまでに行なわれた設定内容がプレビュー画面２２ａあるいはパラメータ設定画面２２ｇに具体的に表示される（Ｓ９）。例えば、マスクが指定された領域が実際にマスクされた状態で表示されたり、色が指定された領域がその色で表示され、所望の設定が行なわれたかを確認できるレベルで表示される。所望の設定が行なわれていない場合（Ｓ１０：Ｎｏ）には、複雑コピー設定処理をやり直す。なお、確認ボタン２２ｈをクリックしたときに、ステップＳ７で行なわれた複雑コピーの設定に基づいて実際に印刷部２３により一枚だけコピー出力される構成であってもよい。
【００６２】
そして、所望の設定が行なわれていることが確認できたら、ＯＫボタン２２ｄをクリックする。ＯＫボタン２２ｄがクリックされると（Ｓ１０：Ｙｅｓ）、図６のように編集メニュー画面２２ｆの選択項目「設定保存」がクリック可能な状態となるので「設定保存」をクリックする。「設定保存」がクリックされると、上記で設定された複雑コピーの内容が選択ボタン表示画面２２ｓにおいて選択されている起動ボタンＡに基づいて、データベース３４ｄ内の複雑コピー設定記憶領域に複写機１０の設定として図３９のように起動ボタンＡの登録エリアに上書き保存される（Ｓ１１）。なお、図３９においては、起動ボタンＡに登録される複雑コピーの設定内容を「設定内容１」として簡易的に示す。起動ボタンＢ，Ｃについても同様である。
【００６３】
この後、ダウンロードボタン２２ｃがクリックされると（Ｓ１２：Ｙｅｓ）、複雑コピー設定内容と起動ボタンＡに登録することを指示する情報とが複写機１０にダウンロードされる（Ｓ１３）。複写機１０では、ダウンロードされた内容はメモリ１６の複雑コピー設定記憶領域の起動ボタンＡに対応する領域に記憶される。また、キャンセルボタン２２ｅがクリックされると（Ｓ１４：Ｙｅｓ）、キャンセル処理（Ｓ１５）が行なわれ、設定内容がクリアされ複雑コピーメニューを終了する。
【００６４】
（雛型編集処理）
図７から図１１を用いて図４のステップＳ６に相当する雛型編集処理について説明する。図５の画面において編集メニュー画面２２ｆの選択項目「定型」をクリックすると、図８のように「定型」についてのサブメニュー２２ｊが表示される。サブメニュー２２ｊが表示されている間は、他のメニュー・ボタンは通常の表示よりも輝度を低くしたり色を変えたりして選択できない旨を表す。
【００６５】
本実施形態においては、サブメニューとして「Ａ４」，「履歴書」，「住民票」の３つが用意されているが、これに限定されるものではなく他のメニューがあってもよい。ここで、アプリケーションが備えている雛型の選択肢の中から、例えば「履歴書」をクリックすると、図９のようにデータベース３４ｄの雛型情報記憶領域に予め記憶されている履歴書の雛型情報に基づく画像がプレビュー画面２２ａに表示され、履歴書に対応した設定パラメータがパラメータ設定画面２２ｇに表示される（Ｓ２１）。
【００６６】
履歴書の雛型情報には、履歴書に一般的に備えられている、顔写真を添付する領域、氏名を記載する領域、住所を記載する領域、経歴を記載する領域等、記載内容毎に領域を区分けするための情報と、その区分けした領域をパラメータ設定画面２２ｇにパラメータ表示するための情報として、「顔」、「住所」、「氏名」、あるいは「経歴」といった設定パラメータ情報と、が少なくとも含まれている。また、図９の例では、各設定パラメータに対して、デフォルトの編集内容(情報)が予め付与されており、例えば、設定パラメータ「顔」に対しては編集内容として「マスク」が対応付けて記憶され、設定パラメータ「住所」には編集内容として「モノクロ」が対応付けて記憶されており、このようなデフォルトの編集内容も雛型情報に記憶されている。
【００６７】
そして、例えば履歴書のコピーを行なう際に履歴書に添付されている顔写真２２ａ１をコピーする必要がない場合（Ｓ２２：Ｙｅｓ）、パラメータ設定画面２２ｇの設定パラメータである「顔：マスク」の右欄にカーソルポインタ２２ｂでチェックを入れデフォルトの編集内容を設定する。すると、図１０のようにプレビュー画面２２ａの顔写真表示領域２２ａ２がコピーの対象とはならない点線表示となる。他の設定パラメータにはデフォルト状態ではチェックが入れられていないため、「顔」に対応する領域以外はモノクロコピーの設定となる。
【００６８】
この状態でＯＫボタン２２ｄがクリックされると、設定内容がワークメモリ３２ａ等のようなＲＡＭ３２の所定の領域に一時的に保存される（Ｓ２３）。その記憶内容の一例を図１１に示す。番号（Ｎｏ），設定分類（定型等），設定パラメータ（文書の書式「履歴書」，設定の対象となる範囲「全体」，編集内容「モノクロ」，機能「コピー」）等が含まれている。Ｎｏ０は編集内容の指定なしを示す雛型情報で、図１０の設定内容はＮｏ１として記憶される。
【００６９】
また、図８においてサブメニューの中から本発明の用紙情報である「Ａ４」をクリックすると、プレビュー画面２２ａには例えば図５のような、Ａ４サイズの白紙画像が表示され、この白紙画像に対して雛型編集処理および複雑コピー設定処理（後述）を行なうことができる。ここで使用できる雛型編集の選択肢としては、用紙の領域として例えば上半分，下半分，右半分，左半分という一般的な定型領域が用意されていて、その定型領域を選択した上でマスク，印刷色といったパラメータの設定を行なう。
【００７０】
具体的に、原稿の上半分にテスト問題が記載され、下半分に回答が記載されていような原稿をコピーするときに、まず、テスト問題の部分だけをコピーして、回答部分はマスクしたいといった要求が考えられる。この場合は、一々原稿をプレビューすることなく、原稿のサイズＡ４を選択し、白紙画像を表示した上で、雛型編集の中から、下半分を選択すると共に、編集内容としてマスクを指定することで、複雑コピーの実行時には、読み取った原稿に対して、下半分がマスクされたコピー出力が得られる。このように、簡単な設定であれば、原稿をプレビューすることなく、簡単なボタン操作で領域指定や編集内容を設定することができる。
【００７１】
定型文書の別の例として、書籍をページ見開きでコピーする際の雛型情報を使用することもできる。図１２のように書籍Ｑをコピーする際にはガラス製の原稿台Ｐに置くと、ページ見開き部に近い領域Ｓは原稿台Ｐに密着しないため、黒く出力される。そこで、図示しない「定型」のサブメニューから「定型：書籍」を選択し、図１３のような「定型：書籍」という雛型情報に基づく画像を表示を作成し、中綴じ部がコピーされる領域２２ａ６をマスクするように設定を行なえば、書籍に印字されている領域２２ａ５（書籍Ｑの領域Ｒ，Ｔ）のみコピーされ中綴じ部（領域Ｓ）が黒く出力されることはなくなる。同様に縁部分２２ａ７の黒い出力を消したい場合には、「周縁部：マスク」の右の欄にチェックを入れ、マスク設定を有効とすることで縁部分２２ａ７の黒出力を防止することができる。
【００７２】
このように、端末装置３０内のアプリケーションが予め備えている雛型の編集情報を用いて表示された複雑コピーの内容について、上記と同様のＳ７以降の処理により複写機１０へのダウンロードが行われ、複写機１０の起動ボタンに対して複雑コピーの設定内容が登録される。従って、原稿をプレビューにより読み取ることなく、複写機１０の起動ボタンに複雑コピーの設定内容を登録することが可能となる。
【００７３】
中綴じ部（領域Ｄ）の幅は、書籍の厚さ等により変化することから、例えば、雛型情報に基づいて、一枚試しコピーを行ってみて（ステップＳ９の確認出力処理に相当）、中綴じ部分のコピー出力の結果が適切でない場合は、ステップＳ７の複雑コピーの設定に戻り、中綴じ部分の幅をカーソルポインタ２２ｂを用いて適宜調節し、所望の設定に変更できることが望ましい。
【００７４】
（複雑コピー設定内容の読込処理）
定型文書の雛型情報を用いる他に、図４０に示すように、データベース３４ｄの複雑コピー設定記憶領域に記憶されている過去に設定して保存された複雑コピーの設定データを読み込んで複雑コピーの設定を行なうこともできる。図１４から図１６を用いて図４のステップＳ１７に相当する、複雑コピー設定内容の読込処理について説明する。なお、図４０においても、保存データ１，２・・として保存されている複雑コピーの設定内容を「設定内容Ａ、Ｂ・・」として簡易的に示す。
【００７５】
まず、図５のような画面が表示されているときに、設定項目「設定読込」をクリックすると、データベース３４ｄに記憶されている過去の設定した複雑コピーの設定内容が、図１５のように保存データ表示領域２２ｒに、例えば「保存データ１」，「保存データ２」のようにアイコン表示される（Ｓ１０１）。なお、保存する際にデータ名を付与できる構成であってもよく、その場合はアイコンとともにデータの名称が表示され、ユーザが選択しやすいものとなる。保存データが１画面で表示しきれない場合は、スクロールバーが表示され全ての保存データのアイコンを見ることができる。また、図１６のように、読み出し時に確認メッセージを表示してもよい。
【００７６】
そして、所望の保存データのアイコンをクリックすれば（Ｓ１０２：Ｙｅｓ）、記憶されている複雑コピーの設定内容が読み込まれて表示部３８に表示される。このとき、プレビュー指示により原稿が読み取られた状態でプレビュー画面２２ａに表示されている場合（Ｓ１０３：Ｙｅｓ）は、読み取られた原稿のデータと読み込まれた複雑コピーの設定内容とが合成されて（Ｓ１０６）プレビュー画面２２ａに表示される（Ｓ１０５）。一方、原稿が読み取られていない場合（Ｓ１０３：Ｎｏ）は、複雑コピーの設定内容を読み込み（Ｓ１０４）、その設定内容を白紙画像に適用したものを表示する（Ｓ１０５）。
【００７７】
なお、図４０に示す過去の複雑コピー設定記憶領域には、これまでに端末装置３０において設定された複雑コピーの設定内容が自動的、もしくはユーザの指示により記憶されるものであってもよく、また、図３９の複写機１０の起動ボタンに対する複雑コピー設定記憶領域に記憶されていた内容が、新たに設定された複雑コピーの設定内容に上書きされる際に、先に記憶されていた設定内容を過去の複雑コピー設定記憶領域に移動して記憶させるような構成であってもよい。
【００７８】
そして、このように表示された複雑コピーの内容について、上記と同様にステップＳ７以降の処理により複写機１０へのダウンロードが行われ、複写機１０の起動ボタンに対して複雑コピーの設定内容が登録される。従って、以前に設定したことのある複雑コピーの設定内容であれば、データベース３４ｄから読み出して、簡単な操作により、複写機１０の起動ボタンに登録することが可能となる。
【００７９】
（複雑コピー設定処理）
図１７から図２６を用いて図４のステップＳ７に相当する複雑コピー設定処理について説明する。読み取られた原稿の画像データがプレビュー画面２２ａに表示されている状態，雛型編集処理を行なった後の画像データがプレビュー画面２２ａに表示されている状態，あるいはデータベース３４ｄに保存されていた複雑コピーの設定内容の読込処理により読み込まれた画像データがプレビュー画面２２ａに表示されている状態で、編集メニュー画面２２ｆの設定項目「自由設定」をクリックすると、図１８のようにユーザが任意の複雑コピー設定を行なうことができる状態となる。
【００８０】
ここで、所望の領域をコピー出力したくない場合は、図１９のようにパラメータ設定画面２２ｇの「マスク」の右欄をクリックしてチェックを入れる（Ｓ３１：Ｙｅｓ）。そして、図２０あるいは図２１のように領域の始点と終点を指定することでマスクしたい領域を指定する。領域の指定が終了すると（Ｓ３２：Ｙｅｓ）、領域２２ａ２あるいは領域２２ａ３をマスクするという設定内容として、指定した領域の情報およびその領域に対する編集内容がワークメモリ３２ａ等のようなＲＡＭ３２の所定の領域に保存される（Ｓ３３）。この後、ステップＳ３１に戻る。
【００８１】
続いて、所望の領域の表示色（印字色）を変更したい場合（Ｓ３１：Ｙｅｓ）には、図２２，図２３のようにパラメータ設定画面２２ｇの編集内容「単色：赤」の右欄をクリックしてチェックを入れる。赤以外の単色を使用したい場合には、「単色：赤」の欄をクリックするとプルダウンメニュー形式で色リストが表示されるので、所望の色を選択する。
【００８２】
そして、図２４，図２５のように上記と同様に始点と終点を指定して表示色を変更する領域２２ａ４を指定する。そして、ＯＫボタン２２ｄをクリックすることで複雑コピーの設定を終了する（Ｓ３６：Ｙｅｓ）。途中で複雑コピーの設定を中止したい場合にはキャンセルボタン２２ｅをクリックすると（Ｓ３５：Ｙｅｓ）、それまでのＲＡＭ３２の保存内容がクリアされる（Ｓ３７）。
【００８３】
このような複雑コピー処理を行った結果が、図４のステップＳ８〜Ｓ１１の処理を経て、最終的にデータベース３４ｄの複雑コピー設定記憶領域に記憶される。ここで、データベース３４ｄに記憶されている複写機１０のワンタッチボタン２１ｅに関する記憶内容の一例を図２６に示す。起動ボタン毎に、番号（Ｎｏ），設定分類（自由設定等），設定パラメータ１〜５（文書の書式，設定の対象となる範囲，設定内容，コピー時のレイアウト）等が含まれている。そして、起動ボタンＡの設定内容は、スキャンした１ページの画像データにおける（ｘ，ｙ）：（５０，１０００）〜（５０５０，２９９９）の領域はマスクし、それ以外の領域はモノクロとするものである。そして、ダウンロードボタン２２ｃがクリックされ、ダウンロードが指示されることで、複写機１０にデータベース３４ｄに記憶された起動ボタンＡに対する複雑コピーの設定内容が送出され、メモリ１６の複雑コピー設定記憶領域に格納される。従って、メモリ１６にもデータベース３４ｄの複雑コピー設定記憶領域に記憶されている内容と同じものが記憶されることになる。
【００８４】
端末装置３０で設定された複雑コピーの内容は、上述のように、端末装置３０に接続されている一台の複写機１０に対して起動ボタン毎にダウンロードする方法の他に、複数の起動ボタンに対する複雑コピーの設定内容を一括してダウンロードするように構成されていてもよい。この場合、図４のステップＳ１〜Ｓ１１までの処理を複数回繰り返し、例えば、起動ボタンＡに対応付けたい複雑コピーの設定内容の登録と、起動ボタンＢに対応付けたい複雑コピーの設定内容の登録とをそれぞれ行ない、データベース３４ｄ内の複写機１０の起動ボタン登録エリアに記憶しておく。
【００８５】
その上で、図２７に示す表示部３８の表示画面にしたがって、送信先の複写機（複写機名，ネットワークアドレス等），送信内容（複雑コピー設定内容等）を指定する。「送信」ボタンをクリックすると、上記起動ボタン登録エリアに記憶されている設定内容が読み出され、送信先の複写機として指定されている複写機１０に送られる。そして、複写機１０では、端末装置３０からダウンロードされたデータ（複雑コピーの設定内容、その設定内容をどの起動ボタンに対応つけるかを示す情報）に基づいて、メモリ１６の複雑コピー設定記憶領域に、起動ボタン毎にそれぞれ設定内容が格納される。
【００８６】
また、図２７の画面で「終了」ボタンをクリックすると、複雑コピーモードから他のモードに移行することができる。さらに、「キャンセル」ボタンをクリックすると、ダウンロード等の動作を中止することができる。
【００８７】
また、端末装置３０は、複写機１０のメモリ１６の記憶内容（複雑コピー設定内容等）を取得することもできる。図２７の画面で「受信」ボタンをクリックすると、指定された複写機１０から起動ボタンに登録されているデータ（複雑コピー設定内容等）を受信する。受信したデータは一旦ワークメモリ３２ａに格納され、所定のコマンドを実行することでデータベース３４ｄの該当領域に格納される。
【００８８】
これにより、複写機１０側での操作で、起動ボタンに登録されている内容が一部修正されたような場合、その最新の登録内容を取得して確認したり、データベース３４ｄ内の複写機１０の起動ボタンに対する複雑コピー設定記憶領域の登録内容を更新させて、複写機１０の実際の登録内容と一致させるといった処理に利用できる。
【００８９】
図４１を用いて、複写機１０における端末装置３０からのダウンロードデータの受信処理について説明する。端末装置３０からのデータの受信を検出すると（Ｓ１１１：Ｙｅｓ）、ワークメモリ１２ａあるいは受信バッファ１７に受信したデータを一時的に格納する（Ｓ１１２）。データの末尾の「ＥＯＦ」等を検出して全データを受信したら（Ｓ１１３：Ｙｅｓ）、メモリ１６の複雑コピー設定記憶領域の起動ボタンに対応する領域に記憶される（Ｓ１１４）。
【００９０】
（複雑コピー設定のダウンロード処理２）
図２８〜図３７を用いて、複雑コピー設定のダウンロード処理の別の例について説明する。なお、本処理も上記複雑コピー設定処理１と同様に、本処理も端末装置３０の設定プログラム３４ｂに含まれる、複写機１０に対して各種設定を行なうためのアプリケーションプログラムを起動し、図示しないメニュー画面の中から複雑コピーを設定するためのメニューを選択することにより開始される。
【００９１】
複雑コピーメニューを選択して読み取られた原稿の画像データがプレビュー画面２２ａに表示されるステップＳ６１からＳ６３、定型文書の雛型を用いて雛型編集処理を行なうステップＳ６４，Ｓ６５、および複雑コピー設定の読込処理を行なうステップＳ７８，Ｓ７９は、それぞれ図４のステップＳ２からＳ４、ステップＳ５，Ｓ６、ステップＳ１６，Ｓ１７と同様であるため、ここでの説明は割愛する。但し、ステップＳ６１で表示される画面は図２９のように、複数枚の原稿を「プレビュー」により読み取って複雑コピー設定処理を行なえるように、スキャンページ選択ボタン２２ｍ，２２ｎ、次ページボタン２２ｋ、一つの原稿に対するコピー枚数を設定するためのコピー枚数設定ボタン２２ｐ，２２ｑが追加されている。
【００９２】
また、複雑コピーの設定を行なう前に複雑コピーモードを終了したい場合には、キャンセルボタン２２ｅをクリックすると（Ｓ８０：Ｙｅｓ）、キャンセル処理（後述）が行なわれ、複雑コピーモードを終了する。（Ｓ７７）。
【００９３】
そして、複雑コピー設定処理（Ｓ６６：図１７と同様）を実行する。図３０，図３１の例では指定された領域２２ａ８がマスクされる。設定内容の確認（Ｓ６７，Ｓ６８）については図４のステップＳ８，Ｓ９と同様であるため、ここでの説明は割愛する。
【００９４】
次に、上記の複雑コピー設定内容に基づいてコピーされる原稿の１枚に対するコピー枚数を、コピー枚数設定ボタン２２ｐ，２２ｑを用いて設定することができる（Ｓ７０）。図３３の例では、読み取られる原稿の１枚に対して図３２で設定された複雑コピーの設定内容で各２枚コピーする場合の設定画面である。
【００９５】
上記の複雑コピー，コピー枚数の設定内容に間違いなければＯＫボタン２２ｄをクリックする。ＯＫボタン２２ｄがクリックされると（Ｓ７１：Ｙｅｓ）、ＲＡＭ３２の保存内容がデータベース３４ｄの複雑コピー設定記憶領域に記憶される（Ｓ７２）。
【００９６】
このときのデータベース３４ｄに記憶されている複写機１０のワンタッチボタン２１ｅに関する記憶内容の例を図３７に示す。起動ボタンＡの設定内容は、スキャンした１ページの画像データにおける（ｘ，ｙ）：（１００，２０００）〜（１０００，２５００）の領域はマスクし、それ以外の領域はモノクロとし、さらにスキャンした原稿１枚につき、２枚ずつコピーするものである。このように、起動ボタンに対して登録される複雑コピーの設定内容にコピー枚数の情報も付加することができ、これにより、例えば、所定の原稿に複雑コピーを設定して、いつも同じ枚数分コピーするような使用形態の場合には、コピー枚数を含めて起動ボタンに登録しておくことで、テンキー等を用いて毎回コピー枚数を入力することなく、必要な枚数だけ複雑コピーを適用させた出力を得ることができる。
【００９７】
この後、ダウンロードボタン２２ｃがクリックされると（Ｓ７３：Ｙｅｓ）、複雑コピー設定内容が複写機１０にダウンロードされる（Ｓ７４）。複写機１０では、ダウンロードされた内容はメモリ１６の複雑コピー設定記憶領域の起動ボタンＡに対応する領域に記憶される。また、キャンセルボタン２２ｅがクリックされると（Ｓ７６：Ｙｅｓ）、キャンセル処理が行なわれ、ＲＡＭ３２の保存内容がクリアされ複雑コピーモードを終了する。（Ｓ７７）。
【００９８】
また、原稿を複数枚読み取った場合は、１枚目の原稿の画像データに対して上記と同様の設定を行なった後に、次ページボタン２２ｋをクリックすると（Ｓ７５：Ｙｅｓ）、図３４のように次ページのプレビュー画面２２ａｂが表示され、上記と同様に複雑コピー，コピー枚数の設定を行なうことができる。図３５にプレビューボタン２２ｆがクリックされて次ページの原稿が読み取られた状態を表したものを示す。続く図３６に次ページにおける領域２２ａｂ１の印刷色を赤色、コピー枚数は１枚と設定した例を示す。
【００９９】
この状態で、ＯＫボタン２２ｄをクリックすることで、起動ボタンＡに２枚分の複雑コピーの設定内容が対応付けられてデータベース３４ｄに保存される。そして、ダウンロードボタン２２ｃがクリックされると、複写機１０に対して同様の内容が送出される。このように２枚の原稿をプレビューし、それぞれの原稿に複雑コピーの指定を行ったものを組み合わせて、１つの起動ボタンに対して登録することもできる。
【０１００】
複写書類のように常に何枚かがセットで扱われるような原稿について、例えば１枚目の原稿と２枚目の原稿とにそれぞれ異なる複雑コピーの設定を行ないたい場合、それぞれプレビューにより原稿を読み取り、別々に複雑コピーの設定を行って１つの起動ボタンに登録しておくことで、上記書類を１枚目と２枚目を重ねて複写機にセットしても、１つの起動ボタンの操作で各書類に別々の複雑コピーが適用されて出力されることになる。このときのワンタッチボタン２１ｅに関する記憶内容の例を図３８（起動ボタンＡに対する設定を参照）に示す。
【０１０１】
なお、１つの起動ボタンに対して３枚以上の複雑コピーの設定を組み合わせて保存するように構成されていてもよく、各原稿の複雑コピーの設定内容に枚数の情報が含まれていてもよい。また、プレビューにより読み取られた原稿に対する設定内容の他、履歴書等の「定型」を選択して設定された複雑コピーの設定内容を組み合わせて保存するものであってもよい。
【０１０２】
また、例えば、図３８における記憶内容の起動ボタンＢの登録内容のように、２枚の原稿をプレビューにより読み取り、それぞれ複雑コピーの設定を行った後、さらに、設定パラメータとして図示しない「２ｉｎ１」を指定して一つの起動ボタンＢに対応付けて保存した場合、自動的に設定パラメータ４に「５０％縮小」、設定パラメータ５に「２ｉｎ１コピー」が書き込まれる。
【０１０３】
このような起動ボタンＢの設定内容が複写機１０にダウンロードされると、複写機１０では、起動ボタンＢを操作してコピーを実行させることで、連続して読み取られる２枚の原稿に対して、最初の原稿の画像データについては、５０％に縮小してモノクロとし、次の原稿の画像データについても、５０％に縮小してモノクロとし、その２つの画像データをＡ４一枚に並べた出力を得ることができる。
【０１０４】
原稿が３枚以上連続して読み取られる場合には、それらの原稿に対しても２ｉｎ１で出力される。なお、１枚のコピー出力に収める読み取り原稿の枚数は上記の２枚（２ｉｎ１）に限らず、複雑コピー設定時に何枚の原稿に対して一つの起動ボタンを対応付けて保存し、ダウンロードしたかにより決定され、３枚以上であってもよい。
【０１０５】
なお、上記の例では、複数の原稿に対して複雑コピー等の設定を行なう場合、プレビュー時に複雑コピーの設定を行なう原稿のみを読み取っているが、コピーしようとする原稿を全て読み取って必要なページを選択して表示させ、そのページに対して複雑コピーの設定を行なう方法でもよい。また、複数のプレビューがある場合に重ねて表示させて切り替え表示を行なう代わりに並列に表示し、複雑コピーの設定を行なう構成であってもよい。
【０１０６】
図４２を用いて、複写機１０における複雑コピー処理の流れについて説明する。なお、複写機１０のメモリ１６には、予め端末装置３０において設定された複雑コピーの設定内容がダウンロードされており、図３８のように、各起動ボタンに対応付けて保存されているものとする。複雑コピーを行ないたい原稿をセットした状態で、ワンタッチボタン２１ｅに含まれる起動ボタンＡを操作すると（Ｓ１２１：Ｙｅｓ）、メモリ１６の複雑コピー設定記憶領域に記憶されている起動ボタンＡに対応付けられた複雑コピーの設定内容がワークメモリ１２ａに読み出され、その内容が表示部２２に表示される（Ｓ１２２）。
【０１０７】
スタートボタン２１ｆが押下されると（Ｓ１２３：Ｙｅｓ）、スキャナ部２４で原稿の読み取りが行なわれ（Ｓ１２４）、次いで、読み取られた原稿の画像データに複雑コピーの設定内容が適用される（Ｓ１２５）。ここで、ステップＳ１２４の複雑コピー適用時の原稿読み取り（本スキャン）では、予め設定されている解像度での読み取りが行われる。ここでの解像度は、例えば、装置のコピー機能の詳細設定において、低解像度、標準、高解像度といった複数の選択肢から選択することが可能である。そして、読み取った原稿の画像データに対して、複雑コピーの設定内容を適用する処理については詳細な説明は省略するが、例えば、指定された領域をマスクする場合であれば、1枚の原稿の画像データをビットマップデータに展開した後、指定された領域のデータ部分を全て「０」に置き換えて記録しない状態とすることで実現でき、指定された領域を「単色：赤」に変更する場合であれば、同様にビットマップデータに展開した後、指定された領域のデータ部分が仮にモノクロのデータであっても、赤の情報を付加して印刷部に出力することで実現できる。
【０１０８】
また、「２ｉｎ１」コピーを行なう場合等、複数の原稿がセットされている場合（Ｓ１２６：Ｙｅｓ）は次の原稿を読み取る（Ｓ１２４）。原稿を全て読み取ったら（Ｓ１２６：Ｎｏ）、印刷部２３でプリント処理が行なわれる（Ｓ１２７）。
【０１０９】
また、ワンタッチボタン２１ｅに含まれる起動ボタン以外の操作が行なわれた場合（Ｓ１２１：Ｎｏ）は、押下されたボタン等に対応した処理が行なわれる（Ｓ１２９）。例えば、ワンタッチボタン２１ｅに含まれる図示しない確認ボタンが押下され、その次に起動ボタンＡが押下された場合、表示部２２の図示しない表示画面上に起動ボタンＡに対応付けて記憶されている複雑コピーの内容が白紙原稿に合成された形態で表示される。これにより、各起動ボタンに登録されている内容を直ちに確認することができる。
【０１１０】
また、表示部２２上の図示しないキャンセルボタン２２ｅあるいはストップボタン２１ｇを押下すれば（Ｓ１３０：Ｙｅｓ）、本処理を終了することができる（Ｓ１３１）。このとき、ワークメモリ１２ａに読み出された複雑コピーの設定内容はクリアされる。
【０１１１】
また、ステップＳ１２５では、図４３のような用紙サイズ変更処理を行なってもよい。まず、スキャナ部２４で読み込まれた原稿の用紙サイズ（本発明の原稿のサイズ情報）と、ワークメモリ１２ａに読み出された複雑コピーの設定内容に含まれる用紙サイズ情報とを比較する（Ｓ９２）。原稿の用紙サイズと複雑コピーの設定内容に含まれる用紙サイズ情報とが異なる場合（Ｓ９３：Ｙｅｓ）、双方の用紙サイズが異なる旨のメッセージを表示し、ユーザに選択を促す。ここで、用紙サイズを一致させることが指示されると（Ｓ９４：Ｙｅｓ）複雑コピーの設定内容が原稿の用紙サイズに合うように変更される（Ｓ９５）。例えば、原稿の用紙サイズがＡ４縦で複雑コピーの設定内容に含まれる用紙サイズ情報がＡ３縦の場合、設定パラメータ２（図２６参照）の領域設定がＡ４縦サイズに合うように縮小される。
【０１１２】
図４４を用いて、複写機１０における複雑コピー処理の別の例の流れについて説明する。なお、複写機１０のメモリ１６には、予め端末装置３０において設定された複雑コピーの設定内容がダウンロードされており、図３８のように、各起動ボタンに対応付けて保存されているものとする。複雑コピーを行ないたい原稿をセットした状態で、ワンタッチボタン２１ｅに含まれる起動ボタンＡを押下すると（Ｓ１５１：Ｙｅｓ）、メモリ１６の複雑コピー設定記憶領域に記憶されている起動ボタンＡに対応付けられた複雑コピーの設定内容がワークメモリ１２ａに読み出され、その内容が表示部２２に表示される。
【０１１３】
次に、読み出された複雑コピーの設定内容を適用するページ範囲の指定を行なうことができる。ここでは、例えば、テンキーを用い、「１〜５ページ」の範囲指定であれば、「１＊５」というように入力させるといったメッセージを表示し、ユーザに希望するページ範囲を入力させる。ページ範囲の指定が行なわれると、起動ボタンＡに対応付けられた複雑コピーの設定内容と指定されたページ範囲とがワークメモリ１２ａに保存される。
【０１１４】
別の起動ボタンの複雑コピー設定を適用するページ範囲の指定を行なう場合（Ｓ１５４：Ｙｅｓ）、例えばワンタッチボタン２１ｅに含まれる起動ボタンＢを押下する。そして、上記と同様にページ範囲の指定を行なう。
【０１１５】
ページ範囲の指定が行なわれずに（Ｓ１５２：Ｎｏ）、続けて別の起動ボタンの指定が行なわれた場合は（Ｓ１５４：Ｙｅｓ）、先に指定された起動ボタンに対応するページ範囲には「１」もしくは、既に指定済みのページ範囲の次のページを保存する。また、起動ボタンが指定されて（Ｓ１５４：Ｙｅｓ）、Ｓ１５２でページ範囲の指定が行なわれずに（Ｓ１５４：Ｎｏ）、Ｓ１５５へ移行する場合には、その起動ボタンに対応するページ範囲は「制限なし」とする。
【０１１６】
図４５，図４６にワークメモリ１２ａに保存された設定内容の例を示す。図４５の例では、起動ボタンＡが操作された後に、ページ範囲として「１〜５ページ」が指定され、続いて起動ボタンＢが操作された場合を示している。起動ボタンＢについてはページ範囲の指定がなく、続く起動ボタンの操作がないため、６ページ以降は全て起動ボタンＢの設定が適用される。また、図４６の例では、起動ボタンＡが操作された後、ページ範囲の指定がなく、続いて起動ボタンＢが操作され、ページ範囲として「２〜７ページ」が指定された場合を示している。この場合、起動ボタンＡに対するページ範囲には、「１」が自動的に書き込まれる。また、８ページ以降の原稿があれば、例えば「モノクロ，等倍，コピー枚数１枚」のような通常のコピーを行なう。
なお、ページ範囲として「１」や「６」といった１ページのみの範囲指定が入力された場合は、それを起動ボタンに対応付けて保存する。また、重複してページ範囲が指定された場合は、メッセージ表示を行いユーザに報知する。また、図４５や図４６のように指定された内容に対して、コピー部数を設定可能としてもよい。
【０１１７】
設定された内容は，ページ範囲を含めて表示部２２に表示される（Ｓ１５５）。スタートボタンが押下されてからの複雑コピー設定画像処理（Ｓ１５８）を除く処理（Ｓ１５６，Ｓ１５７，Ｓ１５９〜Ｓ１６１）、キャンセル処理（Ｓ１６３，Ｓ１６４），その他の処理（Ｓ１６２）は、それぞれ、図４２のＳ１２３、Ｓ１２４，Ｓ１２６〜Ｓ１２８、Ｓ１３０，Ｓ１３１、Ｓ１２９と同様であるため、ここでの詳細な説明は割愛する。
【０１１８】
複雑コピー設定画像処理（Ｓ１５８）では、スキャンされた原稿の頁数をカウントし、上記で設定されたページ範囲の指定に基づいて、そのページに対応する起動ボタンの設定内容で複雑コピーを行なう。
【０１１９】
上述の実施の形態は、複雑コピー設定処理を端末装置３０で実施していたが、複写機１０で行なう構成としてもよい。この場合、操作パネル２０上の各操作部が本発明の編集情報設定手段，用紙指定手段，確認指示手段，登録指示手段に相当し、表示部２２が本発明の表示手段，確認出力手段に相当することになる。また、複雑コピー処理，複雑コピー設定処理等は上述した内容と同様であるため、ここでの詳細な説明は割愛する。
【０１２０】
また、本スキャンの場合の指示操作を端末装置３０から複写機１０に対して実行できるように構成されていてもよい。その場合は、端末装置の画面上で、起動ボタンＡ，Ｂ，Ｃ等を指定したり、コピー部数やページ範囲を指定することができ、その上でコピースタートを指示すると、複写機１０に起動ボタンの情報と本スキャンの開始を指示する情報が送出される。それを受け取った複写機１０は、セットされている原稿の読み取りを開始すると共に、指示された起動ボタンに対応する複雑コピーの設定内容をメモリ１６から読み出し、読み取られた原稿の画像データに対して複雑コピーの設定内容に基づく画像処理を行ない、印字出力を行なうことになる。
【０１２１】
以上、本発明の実施の形態を説明したが、これらはあくまで例示にすぎず、本発明はこれらに限定されるものではなく、特許請求の範囲の趣旨を逸脱しない限りにおいて、当業者の知識に基づく種々の変更が可能である。
【０１２２】
例えば、上記の実施形態では、複写機１０のどの起動ボタンに登録するかをボタン表示画面２２ｓにおいて選択するように構成されていたが、どの起動ボタンに空きがあるかが分からないこともあるため、ボタンを指定することなく複写機１０に複雑コピーの設定内容を送出し、複写機１０側で自動的に空き状態を確認して、空いている起動ボタンに登録するように構成されていてもよい。その場合は、どの起動ボタンに登録したかの情報を複写機１０から端末装置３０が受け取り、端末装置３０のデータベース３４ｄ内の複雑コピー設定記憶領域において、設定した複雑コピーの内容がどの起動ボタンに対応づけられたかを記憶し、端末装置３０においても複写機１０の起動ボタンの登録内容が常に最新のものに更新されていることが望ましい。また、上記実施形態では、説明の都合上、端末装置３０における複雑コピーの設定処理、および複写機１０への設定内容のダウンロード処理と、複写機１０側で実行される複雑コピーの適用処理とを別々に説明したが、実際の実施を考えた場合、次のような処理の流れが考えられる。ユーザが原稿に対して、ワンタッチに未登録の複雑コピーの設定内容でコピーを行いたい場合に、まず、複写機１０に原稿をセットして、端末装置３０側の操作で必要な原稿のプレビューを行い、プレビュー結果に対して、領域指定と「マスク」、「単色：赤」といった編集内容の設定を行い（複雑コピーの設定）、その上で再度複写機１０に原稿をセットし、設定した内容に基づく複雑コピーを実行する。このときのコピー開始時の指示は、複写機１０、端末装置３０のどちらからであってもよい。その後、今回設定した複雑コピーを今後も使用する可能性があるとユーザが判断すれば、引き続き、複写機１０の起動ボタンの指定を行い、ダンウンロードを指示することで、複写機１０の指定した起動ボタンに対して、今回設定した複雑コピーの設定内容が登録され、次回からは、複写機１０において、起動ボタンを操作するのみで、同じ複雑コピーの内容を読み出し、原稿に対して適用することが可能となる。
【図面の簡単な説明】
【０１２３】
【図１】複写機システム，複写機の全体構成を示すブロック図。
【図２】操作パネルの構成を示す図。
【図３】端末装置の構成を示す図。
【図４】複雑コピー処理１を説明するフロー図。
【図５】プレビュー時あるいは白紙画像表示時の表示画面の一例を示す図。
【図６】複雑コピー設定内容の保存時の表示画面の一例を示す図。
【図７】雛型編集処理を説明するフロー図。
【図８】雛型編集処理実行時の表示画面の一例を示す図。
【図９】図８に続く雛型編集処理実行時の表示画面の一例を示す図。
【図１０】図９に続く雛型編集処理実行時の表示画面の一例を示す図。
【図１１】雛型情報の記憶内容の一例を示す図。
【図１２】書籍を見開きでスキャンする例を示す図。
【図１３】書籍を見開きでスキャンする場合の表示画面の一例を示す図。
【図１４】複雑コピー設定内容の読込処理について説明するフロー図。
【図１５】複雑コピー設定内容の読込時の表示画面の一例を示す図。
【図１６】図１５に続く複雑コピー設定内容の読込時の表示画面の一例を示す図。
【図１７】複雑コピー設定処理を説明するフロー図。
【図１８】複雑コピー設定処理実行時の表示画面の一例を示す図。
【図１９】図１８に続くパラメータ設定時の表示画面の一例を示す図。
【図２０】図１９に続く領域設定時の表示画面の一例を示す図。
【図２１】図２０に続く領域設定時の表示画面の一例を示す図。
【図２２】図２１に続くパラメータ設定時の表示画面の一例を示す図。
【図２３】図２２に続くパラメータ設定時の表示画面の一例を示す図。
【図２４】図２３に続く領域設定時の表示画面の一例を示す図。
【図２５】図２４に続く領域設定時の表示画面の一例を示す図。
【図２６】複雑コピー設定内容の一例を示す図。
【図２７】一括データ転送時の端末装置の表示画面の一例を示す図。
【図２８】複雑コピー処理２を説明するフロー図。
【図２９】複雑コピー処理２実行時の初期画面の一例を示す図。
【図３０】図２９に続くパラメータ設定時の表示画面の一例を示す図。
【図３１】図３０に続く領域設定時の表示画面の一例を示す図。
【図３２】図３１に続くページ範囲設定時の表示画面の一例を示す図。
【図３３】図３２に続くコピー枚数設定時の表示画面の一例を示す図。
【図３４】複数枚の原稿に対する複雑コピー設定処理実行時の表示画面の一例を示す図。
【図３５】複数枚の原稿をプレビューした際の表示画面の一例を示す図。
【図３６】図３５に続く領域設定時の表示画面の一例を示す図。
【図３７】複雑コピー設定内容の一例を示す図。
【図３８】複雑コピー設定内容の別の例を示す図。
【図３９】データベースにおける起動ボタンの設定内容を示す図。
【図４０】データベースにおける起動ボタンの過去の設定内容を示す図。
【図４１】複写機における複雑コピー設定内容の受信処理を説明するフロー図。
【図４２】複写機における複雑コピーの操作の流れを示す図。
【図４３】複雑コピー設定内容の用紙サイズ変更の流れを示す図。
【図４４】複写機における複雑コピーの操作の流れの別の例を示す図。
【図４５】複雑コピー実施内容の例を示す図。
【図４６】複雑コピー実施内容の別の例を示す図。
【符号の説明】
【０１２４】
１０    複写機
１１    ＣＰＵ（登録手段，編集情報適用手段，原稿サイズ検出手段，比較手段，加工手段）
１２    ＲＡＭ
１３    ＲＯＭ
１６    メモリ（ワンタッチ情報記憶手段）
１８    通信Ｉ／Ｆ（画像データ取得手段）
２０    操作パネル
２１    操作部
２１ｂ  カーソルキー
２１ｃ  機能選択ボタン
２１ｄ  テンキー
２１ｅ  ワンタッチキー（ワンタッチ操作手段）
２２    表示部
２２ｃ  ダウンロードボタン（登録指示手段）
２２ｈ  確認ボタン（確認出力手段）
２３    印刷部（出力手段）
２４    スキャナ部（読取手段）
３０    端末装置
３１    ＣＰＵ
３４ｄ  データベース（ワンタッチ情報記憶手段）
３７    入力部（編集情報設定手段，用紙指定手段，登録指示手段，用紙指定手段）
３８    表示部（表示手段，確認出力手段）
４０    通信Ｉ／Ｆ（送出手段，画像データ取得手段）
【図１】
0004807615.tif 000002
【図２】
0004807615.tif 000003
【図３】
0004807615.tif 000004
【図４】
0004807615.tif 000005
【図５】
0004807615.tif 000006
【図６】
0004807615.tif 000007
【図７】
0004807615.tif 000008
【図８】
0004807615.tif 000009
【図９】
0004807615.tif 000010
【図１０】
0004807615.tif 000011
【図１１】
0004807615.tif 000012
【図１２】
0004807615.tif 000013
【図１３】
0004807615.tif 000014
【図１４】
0004807615.tif 000015
【図１５】
0004807615.tif 000016
【図１６】
0004807615.tif 000017
【図１７】
0004807615.tif 000018
【図１８】
0004807615.tif 000019
【図１９】
0004807615.tif 000020
【図２０】
0004807615.tif 000021
【図２１】
0004807615.tif 000022
【図２２】
0004807615.tif 000023
【図２３】
0004807615.tif 000024
【図２４】
0004807615.tif 000025
【図２５】
0004807615.tif 000026
【図２６】
0004807615.tif 000027
【図２７】
0004807615.tif 000028
【図２８】
0004807615.tif 000029
【図２９】
0004807615.tif 000030
【図３０】
0004807615.tif 000031
【図３１】
0004807615.tif 000032
【図３２】
0004807615.tif 000033
【図３３】
0004807615.tif 000034
【図３４】
0004807615.tif 000035
【図３５】
0004807615.tif 000036
【図３６】
0004807615.tif 000037
【図３７】
0004807615.tif 000038
【図３８】
0004807615.tif 000039
【図３９】
0004807615.tif 000040
【図４０】
0004807615.tif 000041
【図４１】
0004807615.tif 000042
【図４２】
0004807615.tif 000043
【図４３】
0004807615.tif 000044
【図４４】
0004807615.tif 000045
【図４５】
0004807615.tif 000046
【図４６】
0004807615.tif 000047